(57)【要約】【課題】  極めて簡易な改良でスクリーンの反りを確実に無くすと共に、温度及び湿度の変化により生じる応力も逃がすことができ、作業性が良好で且つ常に良好な映像を鑑賞できる極めて実用性に秀れたリアプロジェクション用スクリーンを提供することである。【解決手段】  鑑賞者側からレンズ保護用の前面板１，指向性光散乱レンズ２，フレネルレンズ３の順に積層されたリアプロジェクション用スクリーンであって、フレネルレンズ３は、該フレネルレンズ３に非密着状態で添設固定される支持体４によって支持されるものである。【選択図】      図１
2005242235.tif 000002
【特許請求の範囲】
【請求項１】
鑑賞者側からレンズ保護用の前面板，指向性光散乱レンズ，フレネルレンズの順に積層されたリアプロジェクション用スクリーンであって、フレネルレンズは、該フレネルレンズに非密着状態で添設固定される支持体によって支持されることを特徴とするリアプロジェクション用スクリーン。
【請求項２】
請求項１記載のリアプロジェクション用スクリーンにおいて、支持体は、フレネルレンズの非集光部に設けた粘着剤により該フレネルレンズに添設固定されていることを特徴とするリアプロジェクション用スクリーン。
【請求項３】
請求項２記載のリアプロジェクション用スクリーンにおいて、支持体は、フレネルレンズの上辺部の非集光部に設けた粘着剤により該フレネルレンズに添設固定されていることを特徴とするリアプロジェクション用スクリーン。
【請求項４】
請求項１〜３のいずれか１項に記載のリアプロジェクション用スクリーンにおいて、支持体は、フレネルレンズとの固定部位以外の面が非密着状態であることを特徴とするリアプロジェクション用スクリーン。
【請求項５】
請求項１〜４のいずれか１項に記載のリアプロジェクション用スクリーンにおいて、支持体とフレネルレンズとの対向面の少なくともいずれか一方が粗面化されていることを特徴とするリアプロジェクション用スクリーン。
【請求項６】
請求項１〜５のいずれか１項に記載のリアプロジェクション用スクリーンにおいて、指向性光散乱レンズは前面板に添設固定され、該前面板と支持体とにより、指向性光散乱レンズとフレネルレンズとが添設状態に挾持固定されていることを特徴とするリアプロジェクション用スクリーン。
【請求項７】
請求項１〜６のいずれか１項に記載のリアプロジェクション用スクリーンにおいて、指向性光散乱レンズ若しくはフレネルレンズとしてシート状若しくはフィルム状のものが採用されていることを特徴とするリアプロジェクション用スクリーン。
【請求項８】
請求項１〜７のいずれか１項に記載のリアプロジェクション用スクリーンにおいて、支持体としてガラス製のものが採用されていることを特徴とするリアプロジェクション用スクリーン。
【請求項９】
鑑賞者側からレンズ保護用の前面板，指向性光散乱レンズ，フレネルレンズ，支持体の順に積層されたリアプロジェクション用スクリーンであって、フレネルレンズと支持体とは、一部分のみが密着する状態で設けられていることを特徴とするリアプロジェクション用スクリーン。
【発明の詳細な説明】
【技術分野】
【０００１】
本発明は、例えば、大型プロジェクションＴＶに使用されるリアプロジェクション用スクリーンに関するものである。
【背景技術】
【０００２】
プロジェクションＴＶ用スクリーンとして用いられるリアプロジェクション用スクリーンは、プロジェクター等の映像装置からの映像光をスクリーン背面から拡大投影して鑑賞するものであり、通常、鋸刃状のレンズが同心円状に形成され、映像装置からの映像光を鑑賞者がいる方向に変向することで画面全体の輝度を均一にするフレネルレンズと、垂直方向に延設される半円状のレンズが複数並設状態に形成され、鑑賞者がいる水平方向に映像光を拡散させることで多くの人が鑑賞できるように水平方向の視野角を広げる指向性光散乱レンズ（レンチキュラーレンズ）とを組み合わせた構成が採用されている。
【０００３】
ところで、このようなスクリーンは、一般的には、鑑賞者側から、レンズを保護するための前面板，シート状若しくはフィルム状のレンチキュラーレンズ，フレネルレンズの順に積層されるが、これら三部材から成るスクリーンには、温度及び湿度の変化により反りが生じ、この反りが原因で該スクリーンの背面側に設置されるプロジェクターからの画像焦点が、前記三部材を組み合わせる際に調整した最適な位置からズレてしまい、色別れ等の問題が生じる。
【０００４】
これは、スクリーンを構成する前記前面板，レンチキュラーレンズ及びフレネルレンズが夫々プラスチック製であることから、温度及び湿度の変化（具体的には、温度上昇や吸湿に伴う膨張）により反りが生じてしまうことが原因であると考えられている。
【０００５】
そこで、通常このようなスクリーンは、この温度及び湿度の変化に伴うレンチキュラーレンズ及びフレネルレンズの反りを想定して加工を施していたが、当然ながら加工に手間がかかり、コスト高となることは避けられない。
【０００６】
また、スクリーンを構成する部材として温度及び湿度の変化に対して安定な光学部材、例えばガラスを使用すれば、上述のような問題は生じないが、上述の三部材をガラス製とした場合、製作時の労力や製品重量の増加による生産性及び汎用性の低下という問題が生じ好ましくなく、また、各部材に支持体として夫々ガラスを貼着する場合にも、同様に製品が厚く、また、重くなってしまい作業性が低下したり、また、貼着界面に異物が混入したり、貼着時の位置調整が厄介となって、生産性が低下してしまうという問題が生じる。
【０００７】
更に、支持体と前記レンチキュラーレンズとフレネルレンズとを密着状態で貼着した場合、前記温度及び湿度の変化により生じる応力を逃がすことができず、レンズ上にしわ等の凹凸が形成されてしまい、外観上ムラが発生するという問題もある。
【発明の開示】
【発明が解決しようとする課題】
【０００８】
本発明は、指向性光散乱レンズ及びフレネルレンズに比べて一般的に厚みを有する前面板と、この前面板とフレネルレンズとに挾持される指向性光散乱レンズとが、反りのない状態で配設されるのに対し、フレネルレンズは、薄く且つ背面に支持するものがないことから、反りが生じやすいという知見に基づいて成されたもので、極めて簡易な改良でスクリーンの反りを確実に無くすと共に、温度及び湿度の変化により生じる応力も逃がすことができ、作業性が良好で且つ常に良好な映像を鑑賞できる極めて実用性に秀れたリアプロジェクション用スクリーンを提供することを課題としている。
【課題を解決するための手段】
【０００９】
添付図面を参照して本発明の要旨を説明する。
【００１０】
鑑賞者側からレンズ保護用の前面板１，指向性光散乱レンズ２，フレネルレンズ３の順に積層されたリアプロジェクション用スクリーンであって、フレネルレンズ３は、該フレネルレンズ３に非密着状態で添設固定される支持体４によって支持されることを特徴とするリアプロジェクション用スクリーンに係るものである。
【００１１】
また、請求項１記載のリアプロジェクション用スクリーンにおいて、支持体４は、フレネルレンズ３の非集光部に設けた粘着剤５により該フレネルレンズ３に添設固定されていることを特徴とするリアプロジェクション用スクリーンに係るものである。
【００１２】
また、請求項２記載のリアプロジェクション用スクリーンにおいて、支持体４は、フレネルレンズ３の上辺部の非集光部に設けた粘着剤５により該フレネルレンズ３に添設固定されていることを特徴とするリアプロジェクション用スクリーンに係るものである。
【００１３】
また、請求項１〜３のいずれか１項に記載のリアプロジェクション用スクリーンにおいて、支持体４は、フレネルレンズ３との固定部位以外の面が非密着状態であることを特徴とするリアプロジェクション用スクリーンに係るものである。
【００１４】
また、請求項１〜４のいずれか１項に記載のリアプロジェクション用スクリーンにおいて、支持体４とフレネルレンズ３との対向面の少なくともいずれか一方が粗面化されていることを特徴とするリアプロジェクション用スクリーンに係るものである。
【００１５】
また、請求項１〜５のいずれか１項に記載のリアプロジェクション用スクリーンにおいて、指向性光散乱レンズ２は前面板１に添設固定され、該前面板１と支持体４とにより、指向性光散乱レンズ２とフレネルレンズ３とが添設状態に挾持固定されていることを特徴とするリアプロジェクション用スクリーンに係るものである。
【００１６】
また、請求項１〜６のいずれか１項に記載のリアプロジェクション用スクリーンにおいて、指向性光散乱レンズ２若しくはフレネルレンズ３としてシート状若しくはフィルム状のものが採用されていることを特徴とするリアプロジェクション用スクリーンに係るものである。
【００１７】
また、請求項１〜７のいずれか１項に記載のリアプロジェクション用スクリーンにおいて、支持体４としてガラス製のものが採用されていることを特徴とするリアプロジェクション用スクリーンに係るものである。
【００１８】
また、鑑賞者側からレンズ保護用の前面板１，指向性光散乱レンズ２，フレネルレンズ３，支持体４の順に積層されたリアプロジェクション用スクリーンであって、フレネルレンズ３と支持体４とは、一部分のみが密着する状態で設けられていることを特徴とするリアプロジェクション用スクリーンに係るものである。
【発明の効果】
【００１９】
本発明は上述のように構成したから、簡易な改良でスクリーンの反りによる焦点位置のズレを阻止することができ、作業性が良好で且つ常に良好な映像を鑑賞できる極めて実用性に秀れたリアプロジェクション用スクリーンとなる。
【発明を実施するための最良の形態】
【００２０】
好適と考える本発明の実施形態を、図面に基づいて本発明の作用を示して簡単に説明する。
【００２１】
鑑賞者側から前面板１，指向性光散乱レンズ２，フレネルレンズ３の３部材から成るスクリーンを構成し、このフレネルレンズ３に支持体４を添設固定すると、この支持体４により該フレネルレンズ３の反りが阻止されることでスクリーンの反りが阻止され、しかも、この支持体４がフレネルレンズ３に非密着状態で添設固定されていることから、このフレネルレンズ３の表面に温度及び湿度の変化によって生じた応力を逃がすことができ、温度及び湿度の変化による焦点位置のズレを阻止して良好な映像を鑑賞できるものとなる。
【００２２】
従って、本発明は、極めて簡易な改良でスクリーンの反りによる焦点位置のズレを阻止することができ、作業性が良好で且つ常に良好な映像を鑑賞できる極めて実用性に秀れたリアプロジェクション用スクリーンとなる。
【実施例】
【００２３】
本発明の具体的な実施例について図面に基づいて説明する。
【００２４】
本実施例は、鑑賞者側からレンズ保護用の前面板１，指向性光散乱レンズ２，フレネルレンズ３の順に積層されたリアプロジェクション用スクリーンであって、フレネルレンズ３は、該フレネルレンズ３に非密着状態で添設固定される支持体４によって支持されるものである。
【００２５】
前面板１としては、その表面にハードコートや反射防止膜等の表面処理が施されたポリカーボネイト樹脂やアクリル・スチレン共重合樹脂等の合成樹脂製のものが採用されている。
【００２６】
指向性光散乱レンズ２（拡散レンズ）としては、レンチキュラーレンズ２を採用している。尚、本実施例における指向性光散乱レンズ２とは、光の透過を利用し、その光に指向性を発現させる異方性を有する微細レンズアレイのことであり、従って、フライアイレンズ等、他の指向性光散乱レンズ２を採用しても良い。
【００２７】
レンチキュラーレンズ２及びフレネルレンズ３としては、フィルム状若しくはシート状のものを採用すると良い。
【００２８】
具体的には、レンチキュラーレンズ２としては、フィルム状のアクリル樹脂やポリカーボネイト樹脂等の合成樹脂製の基材上に、映像光を水平方向に拡散する光拡散作用を発揮する垂直方向に延設される凸レンズが多数並設されたものが採用されている。また、このレンチキュラーレンズ２は前面板１に添設されるように構成されている。
【００２９】
フレネルレンズ３としては、フィルム状のアクリル樹脂やアクリル・スチレン共重合樹脂等の合成樹脂製の基材上に、拡散光である映像光を平行光に変換する集光作用を発揮する鋸刃形状のレンズが同心円状に設けられたものが採用されている。
【００３０】
このフレネルレンズ３には、アクリル系粘着剤等の公知の粘着剤５によりガラス製の支持体４が添設固定される。具体的には、支持体４は、フレネルレンズ３の非集光部、即ち、入射する映像光を阻害しない位置に設けられる粘着剤５により添設固定される。尚、支持体４としてガラス以外のものを採用しても良い。
【００３１】
本実施例においては、フレネルレンズ３の上辺部の非集光部に設けた粘着剤５により、該フレネルレンズ３の上辺部と支持体４の上辺部とが固定されることで、このフレネルレンズ３に支持体４が添設固定されている。尚、上辺部でない他の非集光部に粘着剤５を設けた構成としても良い。
【００３２】
また、支持体４は、フレネルレンズ３との前記粘着剤５による固定部位以外の面が非密着状態となるように構成されている。具体的には、支持体４とフレネルレンズ３との前記固定部位以外の面（対向面）のいずれか一方は粗面化され（公知の表面荒らし処理である例えばブロッキング処理による粗面化）、両者が密着状態とならないように構成されている。
【００３３】
本実施例は、支持体４及びフレネルレンズ３の該部位の双方を粗面化することで一層確実に支持体４とフレネルレンズ３とが密着状態となることを阻止している。
【００３４】
尚、本実施例においては、上述のようにフレネルレンズ３と支持体４の該部位を粗面化することで、フレネルレンズ３と支持体４とを非密着状態としているが、例えば、このフレネルレンズ３と支持体４とを所定間隔で保持する枠体等によって非密着状態を実現しても良い。
【００３５】
即ち、本実施例は、図１に図示したように前面板１と支持体４とにより、レンチキュラーレンズ２及びフレネルレンズ３とが添設状態で挾持固定される構成であり、フィルム状のレンチキュラーレンズ２及びフレネルレンズ３とが板状の前面板１と支持体４とで挾持されることで、このフィルム状のレンチキュラーレンズ２及びフレネルレンズ３の温度や湿度の変化による反りが確実に阻止している。
【００３６】
しかも、この支持体４とフレネルレンズ３とは、図２に図示したように上辺部のみが粘着剤５により固定され、他の部分は非密着状態であるから、フレネルレンズ３の表面に生じる応力を良好に逃がすことができ、この応力による変形を許容してフレネルレンズ３の表面形状を平坦状に保つことができるから、フレネルレンズ３の集光部に凹凸が生じない。
【００３７】
本実施例は上述のように構成したから、フレネルレンズ３に添設固定された支持体４により該フレネルレンズ３の反りが阻止されることでスクリーンの反りが阻止され、しかも、この支持体４がフレネルレンズ２に非密着状態で添設固定されることから、温度及び湿度の変化により生じる応力を逃がすことができ、従って、温度や湿度の変化によってスクリーンに映し出される映像が劣化することなく、常に良好な映像を鑑賞することができるスクリーンとなる。
【００３８】
具体的には、フィルム状のレンチキュラーレンズ２とフレネルレンズ３とが板状の前面板１及び支持体４に挾持されることで、このフィルム状のレンチキュラーレンズ２とフレネルレンズ３の温度及び湿度の変化による反りが確実に阻止される。
【００３９】
また、フレネルレンズ３に生じる応力を良好に逃がすことができ、この応力による寸法変化を許容してフレネルレンズ３の表面形状を良好に保つことができるから、フレネルレンズ３の集光部に凹凸が生じない。
【００４０】
従って、温度及び湿度の変化によるフレネルレンズの反り及び寸法変化に伴う焦点距離のズレを確実に阻止できることになり、高温多湿の環境でも常に良好な映像鑑賞が可能となる。
【００４１】
更に、フレネルレンズ３と支持体４との一部を粘着剤５により固定する構成であるから、組み付けが極めて容易となる。また、レンチキュラーレンズ２とフレネルレンズ３としてフィルム状若しくはシート状の部材を採用することができ、この点からも組み付け作業性は良好となる。
【００４２】
従って、本実施例は、極めて簡易な改良でスクリーンの反りによる焦点位置のズレを阻止することができ、作業性が良好で且つ常に良好な映像を鑑賞できる極めて実用性に秀れたリアプロジェクション用スクリーンとなる。
【図面の簡単な説明】
【００４３】
【図１】本実施例の概略説明側面図である。
【図２】本実施例の支持体４の概略説明正面図である。
【符号の説明】
【００４４】
１  前面板
２  指向性光散乱レンズ
３  フレネルレンズ
４  支持体
５  粘着剤
【図１】
2005242235.tif 000003
【図２】
2005242235.tif 000004